(57)【特許請求の範囲】
【請求項１】
端末間のセッションを確立するとともに、そのセッションで使用する帯域を確保し、確保した帯域の帯域情報を管理するセッション制御方法であって、
前記帯域情報の整合をとる整合処理をするステップと、
通常時は、確立したセッションについての帯域処理は第１の記憶手段に格納した帯域情報を用い、整合処理中は、整合処理前から存在するセッションについての帯域処理は引き続き前記第１の記憶手段に格納した帯域情報を用い、整合処理中に確立したセッションについての帯域処理は第２の記憶手段に格納した帯域情報を用いるステップと、
を有することを特徴とするセッション制御方法。
【請求項２】
前記整合処理の終了後に、前記第２の記憶手段に格納した帯域情報を前記第１の記憶手段に移動するステップを有することを特徴とする請求項１記載のセッション制御方法。
【請求項３】
端末間のセッションを確立するとともに、そのセッションで使用する帯域を確保し、確保した帯域の帯域情報を管理するセッション制御装置であって、
前記帯域情報を格納する第１、第２の記憶手段と、
前記帯域情報の整合をとる整合処理をする整合処理手段と、
通常時は、確立したセッションについての帯域処理は前記第１の記憶手段に格納した帯域情報を用い、整合処理中は、整合処理前から存在するセッションについての帯域処理は引き続き前記第１の記憶手段に格納した帯域情報を用い、整合処理中に確立したセッションについての帯域処理は前記第２の記憶手段に格納した帯域情報を用いる呼処理手段と、
を有することを特徴とするセッション制御装置。
【請求項４】
前記呼処理手段は、前記整合処理の終了後に、前記第２の記憶手段に格納した帯域情報を前記第１の記憶手段に移動することを特徴とする請求項３記載のセッション制御装置。
【発明の詳細な説明】
【技術分野】
【０００１】
本発明は、帯域情報を管理している通信システムにおいて帯域情報を実際の値と整合させる技術に関する。
【背景技術】
【０００２】
通信品質を保証するネットワーク（例えば、ＮＧＮ（Ｎｅｘｔ  Ｇｅｎｅｒａｔｉｏｎ  Ｎｅｔｗｏｒｋ））には、帯域を管理しつつセッション制御を行うセッション制御サーバが配置される。セッション制御サーバは、呼処理機能（例えば、ＣＳＣＦ（Ｃａｌｌ  Ｓｅｓｓｉｏｎ  Ｃｏｎｔｒｏｌ  Ｆｕｎｃｔｉｏｎ））とリソース管理・受付制御機能（例えば、ＲＡＣＦ（Ｒｅｓｏｕｒｃｅ  ａｎｄ  Ａｄｍｉｓｓｉｏｎ  Ｃｏｎｔｒｏｌ  Ｆｕｎｃｔｉｏｎ））を有する。呼処理機能は、端末からの信号、例えばＳＩＰ（Ｓｅｓｓｉｏｎ  Ｉｎｉｔｉａｔｉｏｎ  Ｐｒｏｔｏｃｏｌ）による信号に基づき、発信者、着信者を確認し、セッション確立・解放の処理を行う。リソース管理・受付制御機能は、転送系ネットワークでの通信に割り当てた帯域量を管理し、受付判定機能やＱｏＳ（Ｑｕａｌｉｔｙ  ｏｆ  Ｓｅｒｖｉｃｅ）制御機能を実現する。
【０００３】
セッション制御サーバでは、帯域情報として、呼処理機能により確立したセッションに割り当てた帯域量を管理・保持している。また、設定中のセッションの情報として、発着端末情報、要求帯域量、セッション状態などの呼情報を管理・保持している。
【０００４】
セッション制御サーバが新たなセッション確立要求を受け付けてセッションを確立すると、保有する計算式に従って、そのセッションが要求した帯域量を現在管理している帯域情報に加える。このことを帯域の積み上げ処理と呼ぶ。なお、セッション途中において、利用帯域の増減などを変更する要求に応じた処理も、積み上げ処理と呼ぶこととする。一方、確立中のセッションを解放する際には、保有する計算式に従って、そのセッションが要求していた帯域量を現在管理している帯域情報から減ずる。このことを帯域の積み下げ処理と呼ぶ。
【先行技術文献】
【非特許文献】
【０００５】
【非特許文献１】ＩＴＵ−Ｔ勧告  Ｙ．２０１２
【非特許文献２】ＩＴＵ−Ｔ勧告  Ｙ．２１１１
【発明の概要】
【発明が解決しようとする課題】
【０００６】
セッション制御サーバで保持している帯域情報と実際に確保された帯域の値とのズレが発生するなどの異常が生じることがある。特に、各呼情報に記録されている帯域要求量の総計と帯域情報にズレが生じることがある。帯域情報にズレが生じたまま運用を続けると、リソース管理・受付制御機能が本来のように働かず、ＱｏＳが維持できなくなるという問題がある。
【０００７】
従来は、帯域情報に異常が生じた場合、セッション制御サーバを再起動させ、帯域情報、呼情報をクリアし、初期設定に戻す方法がとられていた。しかしながら、セッション制御サーバを再起動すると、通信中の全セッションが解放されるため、サービス信頼性が低下するという問題があった。
【０００８】
本発明は、上記に鑑みてなされたものであり、セッションを切断することなく、呼情報に記録されている帯域要求量と帯域情報を整合させることを目的とする。
【課題を解決するための手段】
【０００９】
第１の本発明に係るセッション制御方法は、端末間のセッションを確立するとともに、そのセッションで使用する帯域を確保し、確保した帯域の帯域情報を管理するセッション制御方法であって、前記帯域情報の整合をとる整合処理をするステップと、通常時は、確立したセッションについての帯域処理は第１の記憶手段に格納した帯域情報を用い、整合処理中は、整合処理前から存在するセッションについての帯域処理は引き続き前記第１の記憶手段に格納した帯域情報を用い、整合処理中に確立したセッションについての帯域処理は第２の記憶手段に格納した帯域情報を用いるステップと、を有することを特徴とする。
【００１０】
上記セッション制御方法において、前記整合処理の終了後に、前記第２の記憶手段に格納した帯域情報を前記第１の記憶手段に移動するステップを有することを特徴とする。
【００１１】
第２の本発明に係るセッション制御装置は、端末間のセッションを確立するとともに、そのセッションで使用する帯域を確保し、確保した帯域の帯域情報を管理するセッション制御装置であって、前記帯域情報を格納する第１、第２の記憶手段と、前記帯域情報の整合をとる整合処理をする整合処理手段と、通常時は、確立したセッションについての帯域処理は前記第１の記憶手段に格納した帯域情報を用い、整合処理中は、整合処理前から存在するセッションについての帯域処理は引き続き前記第１の記憶手段に格納した帯域情報を用い、整合処理中に確立したセッションについての帯域処理は前記第２の記憶手段に格納した帯域情報を用いる呼処理手段と、を有することを特徴とする。
【発明の効果】
【００１２】
本発明によれば、セッションを切断することなく、呼情報に記録されている帯域要求量と帯域情報を整合させることができる。
【図面の簡単な説明】
【００１３】
【図１】本実施の形態におけるセッション制御サーバを含む全体構成図である。
【図２】本実施の形態におけるセッション制御サーバの帯域情報整合処理の流れを示すフローチャートである。
【発明を実施するための形態】
【００１４】
以下、本発明の実施の形態について図面を用いて説明する。
【００１５】
図１に、本実施の形態におけるセッション制御サーバを含む全体構成図を示す。セッション制御サーバ１は、端末３から信号を受信して端末３間のセッションを確立するとともに、エッジノード２間で帯域を確保して端末３間で通信が行えるようにする装置である。また、セッション制御サーバ１は、セッションに割り当てた帯域量を含む帯域情報を管理・保持している。以下、セッション制御サーバ１の構成について説明する。
【００１６】
図１に示すセッション制御サーバ１は、呼処理部１１、２面のメモリ１２Ａ，１２Ｂ、および帯域情報整合処理部１３を備える。セッション制御サーバ１が備える各部は、演算処理装置、記憶装置等を備えたコンピュータにより構成して、各部の処理がプログラムによって実行されるものとしてもよい。このプログラムはセッション制御サーバ１が備える記憶装置に記憶されており、磁気ディスク、光ディスク、半導体メモリ等の記録媒体に記録することも、ネットワークを通して提供することも可能である。
【００１７】
呼処理部１１は、セッションの確立、解放、セッションに必要な帯域の積み上げ処理、積み下げ処理など呼制御に関する処理を行い、積み上げ処理、積み下げ処理によりメモリ１２Ａ，１２Ｂに格納された帯域情報の帯域量を増減させる。呼処理部１１は、通常時か帯域情報整合処理中かによってメモリ１２Ａ，１２Ｂを使い分ける。帯域情報整合処理とは、メモリ１２Ａに格納された帯域情報と各呼情報の帯域要求量の総計との整合をとる処理である。呼処理部１１は、通常時は、メモリ１２Ａのみを使用して呼制御処理を行い、帯域情報整合処理中は、メモリ１２Ａ，１２Ｂの両方を使用する。
【００１８】
呼処理部１１によるメモリ１２Ａ，１２Ｂの使い分けを具体的に説明すると、帯域情報整合処理開始時に確立されているセッションの呼情報については、メモリ１２Ａに格納された帯域情報を使用し、帯域情報整合処理中に確立されたセッションの呼情報については、メモリ１２Ｂに格納された帯域情報を使用する。帯域情報整合処理中に確立されたセッションの呼情報であるか否かは、呼情報のフラグにより判定する。本実施の形態では、帯域情報整合処理開始時に存在する呼情報にフラグを立てることで、帯域情報整合処理開始時に確立されているセッションの呼情報か、帯域情報整合処理中に確立されたセッションの呼情報であるのか判定する。呼情報には、発着端末情報、要求帯域量、セッション状態などが含まれ、呼処理部１１の備えるメモリ等の記憶装置に格納される。
【００１９】
メモリ１２Ａ，１２Ｂは、物理的に別のメモリ装置に分けて用意してもよいし、物理的には同一のメモリ装置内で、領域として２面を用意してもよい。
【００２０】
帯域情報整合処理部１３は、保守者による保守装置４からのコマンド投入時やセッション制御サーバ１が２重化された場合の系切替時に、帯域情報整合処理を行う。
【００２１】
次に、本実施の形態におけるセッション制御サーバの処理の流れについて説明する。ここでは呼情報に記録されている各セッションの帯域要求量と帯域情報との整合をとる処理について説明する。
【００２２】
図２は、本実施の形態におけるセッション制御サーバの帯域情報整合処理の流れを示すフローチャートである。
【００２３】
帯域情報整合処理部１３が帯域情報整合処理を開始すると、呼処理部１１は、帯域情報整合処理開始時に存在する呼情報にフラグを立てる（ステップＳ１１）。この時点では、メモリ１２Ａのみに帯域情報が存在し、帯域情報にズレが生じていなければ、その帯域情報は各呼情報に記録されている帯域要求量の総計と等しい。
【００２４】
セッション制御サーバ１は、帯域情報整合処理中も信号を受け付ける（ステップＳ１２）。
【００２５】
受信した信号がフラグの立てられた呼情報に関する帯域処理を指示する信号である場合は、メモリ１２Ａの帯域情報を用いて積み上げ処理、積み下げ処理を行う（ステップＳ１３）。受信した信号によりセッションが解放される場合は、メモリ１２Ａの帯域情報を用いて該当する呼情報が要求した帯域の積み下げ処理が行われ、その呼情報は削除される。
【００２６】
一方、受信した信号が帯域情報処理開始後に着信した呼に関する帯域処理を指示する信号である場合は、メモリ１２Ｂの帯域情報を用いて積み上げ処理、積み下げ処理を行う（ステップＳ１４）。帯域情報整合処理中に新たにセッションを確立する場合は、そのセッションに関する呼情報の帯域要求量をメモリ１２Ｂの帯域情報に加える。帯域情報整合処理中に確立したセッションの呼情報、つまり、フラグが立っていない呼情報についての積み上げ処理、積み下げ処理は、メモリ１２Ｂの帯域情報を用いる。
【００２７】
フラグの立てられた呼情報について積み上げ処理、積み下げ処理を行った後は、フラグの立てられた呼情報の残りが存在するか否か判定する（ステップＳ１５）。まだフラグの立てられた呼情報が存在する場合は、ステップＳ１２に戻り信号を待ち受ける。
【００２８】
フラグの立てられた呼情報が存在しない場合は、メモリ１２Ｂの帯域情報をメモリ１２Ａにコピーするとともにメモリ１２Ｂをクリアし、帯域情報整合処理を終了する（ステップＳ１６）。フラグの立てられた呼情報がすべて解放されたときに、メモリ１２Ｂの帯域情報は、帯域情報整合処理開始後に積み上げ処理、積み下げ処理が行われたものであり、その時点での正しい帯域の値となっている。帯域情報整合処理終了後は、メモリ１２Ｂの帯域情報をメモリ１２Ａにコピーして通常の状態に戻り、メモリ１２Ａの帯域情報のみを用いる。なお、帯域情報整合処理終了時に、メモリ１２Ｂの呼情報をメモリ１２Ａにコピーするのではなく、メモリ１２Ａ，１２Ｂの役割を論理的に入れ替え、つまり、通常時にメモリ１２Ｂの帯域情報のみを使用するようにしてもよい。
【００２９】
このように、帯域情報整合処理中は、メモリ１２Ａの帯域情報には新たなセッションについての積み上げ処理を行わないため、帯域情報整合処理前から存在しているセッションが解放されるにつれ、メモリ１２Ａの帯域情報で管理している呼数および帯域量は減っていく。なお、帯域情報整合処理中は、メモリ１２Ａ，１２Ｂそれぞれの帯域情報の帯域量を合計したものが確保された総帯域量となる。
【００３０】
以上説明したように、本実施の形態によれば、帯域情報を格納する２面のメモリ１２Ａ，１２Ｂを用意し、通常時は、メモリ１２Ａの帯域情報のみを使用し、帯域情報整合処理中は、帯域情報整合処理前から存在する呼情報についてフラグを立てるとともに、メモリ１２Ａの帯域情報を用い、帯域情報整合処理中に着信した呼についてはメモリ１２Ｂの帯域情報を用いて積み上げ処理、積み下げ処理を行い、フラグの立てられた呼情報がなくなり帯域情報整合処理終了したときに、メモリ１２Ｂの帯域情報をメモリ１２Ａに移動することにより、通信中のセッションを切断することなく、帯域情報を正しい値に整合させることができる。その結果、ＱｏＳが確保されるとともに、サービス信頼性を向上できる。
【符号の説明】
【００３１】
１…セッション制御サーバ
１１…呼処理部
１２Ａ，１２Ｂ…メモリ
１３…帯域情報整合処理部
２…エッジノード
３…端末
４…保守装置
【図１】
0005498443.tif 000002
【図２】
0005498443.tif 000003